(57)【要約】【課題】  ユニット化された球発射装置全体の重量を軽減するとともに、球発射装置の荷重を前枠体の比較的広い範囲で分散して受けることができるように構成し、耐久性の向上を図る。【解決手段】  遊技盤３０が装着される合成樹脂製の前枠体２１の下部の所定位置に、遊技盤３０の遊技領域３４に球を発射するための球発射装置７０が装着された遊技機であって、前枠体２１の下部の所定位置には球発射装置７０の各部を構成する複数の構成部材と、これら複数の構成部材のうちの１つの構成部材をなす発射ハンマ９０を駆動するための電動アクチュエータ１２０と、がそれぞれ配設されている。【選択図】        図１
2005081062.tif 000002
【特許請求の範囲】
【請求項１】
遊技盤が装着される合成樹脂製の前枠体の下部の所定位置に、前記遊技盤の遊技領域に球を発射するための球発射装置が装着された遊技機であって、
前記前枠体の下部の所定位置には球発射装置の各部を構成する複数の構成部材と、これら複数の構成部材のうちの１つの構成部材をなす発射ハンマを駆動するための電動アクチュエータと、がそれぞれ配設されていることを特徴とする遊技機。
【発明の詳細な説明】
【技術分野】
【０００１】
この発明は、例えば、パチンコ機（アレンジボール機、雀球機等も含む）のような弾球遊技機とも呼ばれている遊技機に関する。
【背景技術】
【０００２】
この種の遊技機において、遊技盤が装着される合成樹脂製の前枠体（内枠体、前面枠等とも呼ばれる）の下部の所定位置に、遊技盤の遊技領域に球を発射するための球発射装置が装着される。
また、球発射装置の各部を構成する発射ハンマ、引張ばね、スライド体、球送り作動部材等の複数の構成部材、及び発射ハンマーを駆動するための電動アクチュエータ（発射モータ、ソレノイド等）を前枠体の下部の所定位置にそれぞれ個別に組み付ける作業は多くの手間が必要となり厄介であった。
このため、厚板金属板よりなるユニット基板に対し、発射ハンマや、その発射ハンマーを駆動するための電動アクチュエータがそれぞれ組み付けられて球発射装置がユニット化されたものが知られている（例えば、特許文献１参照）。
【特許文献１】特開平５−１５６５０号公報
【発明の開示】
【発明が解決しようとする課題】
【０００３】
ところで、厚板金属板よりなるユニット基板は、それ自体の重量が重いだけでなく、その金属製ユニット基板に対し、発射ハンマ、電動アクチュエータ等がそれぞれ組み付けられるため、ユニット化された球発射装置は、その装置全体の重量が非常に重くなる。このため、合成樹脂製の前枠体の取付ボス部に対し、球発射装置を、その金属製ユニット基板においてビスによって取り付けると、その前枠体の取付ボス部や、その近傍の強度が不足して当該取付ボス部やその近傍が破損される場合があり、耐久性に問題点があった。
そこで、前枠体の取付ボス部の数を増加し、球発射装置の荷重を多数個の取付ボス部において分散して受けることで、取付ボス部やその近傍の破損を防止していた。しかしながら、この場合には前枠体の多数個の取付ボス部に金属製ユニット基板をビスによって取り付ける作業に多くの手間を必要とし厄介となった。
【０００４】
この発明の目的は、前記従来の問題点に鑑み、ユニット化された球発射装置全体の重量を軽減するとともに、球発射装置の荷重を前枠体の比較的広い範囲で分散して受けることができるように構成し、耐久性を損なうことなく組付作業性の向上を図ることができる遊技機を提供することである。
【課題を解決するための手段】
【０００５】
前記目的を達成するために、手段１の発明に係る遊技機は、次のとおりの構成、
「遊技盤が装着される合成樹脂製の前枠体の下部の所定位置に、前記遊技盤の遊技領域に球を発射するための球発射装置が装着された遊技機であって、
前記前枠体の下部の所定位置には前記球発射装置に対応する装着用凹部が形成され、
前記球発射装置は、前記装着用凹部に嵌込まれて固定される合成樹脂製の収納ボックスと、その収納ボックスに組み付けられかつ球発射装置の各部を構成する複数の構成部材と、これら複数の構成部材のうちの１つの構成部材をなす発射ハンマを駆動するための電動アクチュエータと、がそれぞれ組み付けられてユニット化されていることを特徴とする遊技機。」
を要旨とする。
【０００６】
したがって、合成樹脂製の収納ボックスに対し球発射装置の各部を構成する複数の構成部材と、これら複数の構成部材のうちの１つの構成部材をなす発射ハンマを駆動するための電動アクチュエータとが、合成樹脂製の収納ボックスにそれぞれ組み付けられることでユニット化された球発射装置が構成される。
収納ボックスを合成樹脂製にすることで、金属製にしたものと比べ球発射装置全体の重量が軽減される。さらに、収納ボックスは、箱形状をなすため平板状のものと比べ撓み難く強度的に優れたものとなる。
また、合成樹脂製の前枠体の後面の装着用凹部に対し、球発射装置が、その収納ボックスにおいて嵌込まれて固定される。このため、球発射装置の荷重を前枠体の下部の装着用凹部において比較的広い範囲で分散して受けることができる。
また、合成樹脂製の前枠体においては、その下部に装着用凹部を設けることや、その装着用凹部に嵌込まれる収納ボックスによって前枠体自体の強度も増大され撓み難く耐久性に優れたものとなる。
なお、収納ボックスは、球発射装置の各部を構成する複数の構成部材を収納可能な箱形状であればよく、開口を有する箱形状に形成された場合においてもこの発明を実施することができる。
【０００７】
手段２の発明に係る遊技機は、請求項１に記載の遊技機であって、
収納ボックスは、装着用凹部に嵌込まれて固定される合成樹脂製のベース体と、そのベース体と協働して収納室を開閉可能に構成する合成樹脂製のカバー体とを備え、
前記収納室には、球発射装置の各部を構成する複数の構成部材が収納状態で配設されていることを特徴とする。
したがって、手段２の発明に係る遊技機によると、球発射装置の各部を構成する複数の構成部材が収納ボックスの収納室に収納されて保護される。このため、球発射装置の構成部材、例えば、発射ハンマ、引張ばね等の構成部材に異物が不測に干渉して作動不良を発生させる不具合を防止することができる。
【０００８】
手段３の発明に係る遊技機は、請求項２に記載の遊技機であって、
収納ボックスのカバー体には、電動アクチュエータに対応する嵌込み凹部が形成され、
前記電動アクチュエータは、その少なくとも一部が前記嵌込み凹部に位置決めされて嵌込まれた状態で固定されていることを特徴とする。
したがって、手段３の発明に係る遊技機によると、カバー体の嵌込み凹部に電動アクチュエータが嵌込まれることで位置決めすることができるため、カバー体に電動アクチュエータを位置決めして固定する作業が容易となる。しかも、嵌込み部やその嵌込み部に嵌込まれる電動アクチュエータによってカバー体の強度が増大される。
【０００９】
手段４の発明に係る遊技機は、請求項２又は３に記載の遊技機であって、
前枠体の装着用凹部の開口部には段差面が形成される一方、
収納ボックスのベース体には、前記装着用凹部に嵌込まれる嵌込み部と、前記段差面に当接するフランジ部とがそれぞれ形成されていることを特徴とする。
したがって、手段４の発明に係る遊技機によると、前枠体の装着用凹部に対し、ベース体を、その嵌込み部において嵌込んで固定する際、装着用凹部の開口部の段差面にベース体のフランジ部が当接する位置までベース体の嵌込み部を嵌込んで固定することで、前枠体の装着用凹部の奥行き方向（前後方向）にベース体が位置ずれすることなく容易にかつ正確に固定することができる。
この結果、前枠体に対する球発射装置の各部を構成する複数の構成部材の配置が前後方向に位置ずれする不具合を防止することができる。例えば、発射ハンマが前後方向に位置ずれして球の発射不良が生じる不具合を防止することができる。
【００１０】
手段５の発明に係る遊技機は、請求項２又は３又は４に記載の遊技機であって、
収納ボックスのベース体の所定位置に薄板金属板よりなる補強板が設けられていることを特徴とする。
したがって、手段５の発明に係る遊技機によると、ベース体の所定位置、特に強度が必要とする部分に薄板金属板よりなる補強板を設けることで、重量増加を抑えながらベース体を効率よく補強することができる。
【発明の効果】
【００１１】
この発明によれば、ユニット化された球発射装置の収納ボックスを合成樹脂製にすることで、金属製にしたものと比べ球発射装置全体の重量を軽減することができる。
しかも、球発射装置の荷重を前枠体の装着用凹部において比較的広い範囲で分散して受けることができるため、球発射装置の荷重が起因する前枠体の損傷や撓み変形を防止して耐久性を損なうことなく組付作業性の向上を図ることができる。
【発明を実施するための最良の形態】
【００１２】
次に、この発明を実施するための最良の形態を実施例にしたがって説明する。
【実施例１】
【００１３】
図１は球を使用して遊技を行う遊技機（弾球遊技機）としてのパチンコ機の扉体を開いた状態を示す斜視図である。図２は扉体を取り外し上皿部材を開いた状態を示す斜視図である。図３はパチンコ機全体を示す背面図である。図４は球発射装置を拡大して示す背面図である。図５は図４のＶ−Ｖ線に基づく断面図である。なお、説明の便宜上、パチンコ機（遊技機）に対する遊技者側を前、反対側を後という。
図１〜図３に示すように、遊技機としてのパチンコ機は、外枠体１０、前枠体２１、扉体４１、遊技盤３０、機構盤１５０等を主体として構成されている。
外枠体１０は、木質製（合成樹脂製でもよい）の板材によってそれぞれ形成された上枠材１１、下枠材１２、及び左右の両側枠材１３を備え、これら各枠材１１〜１３が所定数の隅補強具によって方形に枠組みされることによって方形枠状に構成されている。
また、外枠体１０の下部前側には、次に述べる前枠体２１の下端面を受け支える下受板１５が装着されている。
【００１４】
図１と図２に示すように、外枠体１０の前側には、前枠体（前面枠、内枠と呼ばれることもある）２１が前枠ヒンジ機構２０によって開閉可能に、かつ施錠装置によって閉じ状態に施錠可能に装着されている。
前枠体２１は、合成樹脂材により形成されるとともに、遊技盤３０の前面を露出させて着脱交換可能に装着するための遊技盤装着枠部２２を有して略方形枠状に形成されている。
なお、遊技盤装着枠部２２は、合成樹脂製の前枠体２１の射出成形と同時に同前枠体２１の樹脂材料と同様の樹脂材料によって一体に形成されることが望ましい。
【００１５】
図１及び図２に示すように、前枠体２１の遊技盤装着枠部２２に装着される遊技盤３０は、その前面に外レール３２と内レール３３とを備えかつ内側部に略円形の遊技領域３４を区画形成する案内レール３１が装着されている。
また、案内レール３１の片側には、その外レール３２と内レール３３との間において球を遊技領域３４の上部に向けて誘導する発射通路３５が形成されている。
また、遊技盤３０の前面の遊技領域３４内には、各種の役物装置、図柄表示装置、入賞装置、ゲート器、風車器、誘導釘等（図示しない）が配設されている。
【００１６】
図１に示すように、前枠体２１の前側には、扉ヒンジ機構４０によって扉体４１（ガラス扉、ガラス枠等と呼ばれることがある）が開閉可能に装着されている。この扉体４１は、施錠装置によって閉じ状態に施錠されるようになっている。
扉体４１には、遊技盤３０の遊技領域３４を透視可能な窓枠部４２が設けられその窓枠部４２には前後２枚の透明板（ガラス板、透明樹脂板等）４３が着脱交換可能に嵌込まれている。
【００１７】
図２と図３に示すように、前枠体２１の下部前面には、後述する球発射装置７０の発射ハンマ９０によって打撃された球を遊技盤３０の案内レール３１の発射通路３５に導くための横断面略Ｖ字状をなす発射レール２５が傾斜状をなして装着されている。
また、前枠体２１の下部前面には、扉体４１の下方に隣接しかつ発射レール２５の前側に位置して上皿部材（前板、あるいは前面板と呼ばれることもある）５１がヒンジ機構によって開閉可能に装着されている。この上皿部材５１の上部前側には所定数の球を保留する上皿５１ａが設けられている。
【００１８】
また、図２に示すように、上皿部材５１の後側には、上皿５１ａの球通路に配列された球を整列しかつその最前列の球を発射レール２５の下傾端部の発射位置に導く球送り部材が組み付けられた球送りカセット５２が装着されている。
なお、周知のように、球送り部材は、その中間部において軸を中心として回動可能に球送りカセット５２の所定位置に装着されており、その一端部に球送り部を、他端部に錘５７をそれぞれ有している。そして、球送り部材は、その錘５７が後述する球発射装置７０の球送り作動部材１４０によって突き上げられることで、軸を中心として球送り方向に回動された後、錘５７によって元の非球送り位置、言い換えると球止め位置に配置切り換えされるようになっている。
【００１９】
図１と図２に示すように、前枠体２１の下部前面には、装飾性を有する合成樹脂製の前面装飾部材６０が装着されている。この前面装飾部材６０には、下皿１０１が装着されるとともに、ハンドル取付部６２が形成されている。そして、ハンドル取付部６２には、発射ハンドル６５が装着されている。
周知のように、発射ハンドル６５は、ハンドル取付部６２に固定状態で設けられる固定ハンドル体と、遊技者によって回動操作可能な可動ハンドル体とを備え、その可動ハンドル体の中心部にはハンドル軸６８が設けられている。このハンドル軸６８の先端部（後端部）は前面装飾部材６０及び前枠体２１を貫通して同前枠体２１の後面から突出され、後述する連結軸１１０にトルク伝達可能に嵌挿される（図５参照）。
【００２０】
図３と図５に示すように、前枠体２１の下部後面の所定位置には、発射レール２５の発射位置（打球位置）に送られた球を発射レール２５及び発射通路３５を通して遊技領域３４の上部に向けて発射するための球発射装置７０に対応する装着用凹部２６が形成されている。この装着用凹部２６は、周壁部２６ａと底板部２７とを有して後側に開口する凹状に形成されている。そして、凹部底面をなす底板部２７には、球発射装置７０をその収納ボックス７１においてビスによって締付固定するための複数のボス部２８が突設されている。
また、この実施例１において、装着用凹部２６の開口部には、球発射装置７０を、その収納ボックス７１において前後方向に位置決めするための段差面２９を有する段差部が形成されている。
【００２１】
図４と図６に示すように、球発射装置７０は、合成樹脂製の収納ボックス７１と、その収納ボックス７１に組み付けられかつ球発射装置７０の各部を構成する発射ハンマ９０、スライド体１００、引張ばね１０６等の複数の構成部材と、これら複数の構成部材のうちの１つの構成部材をなす発射ハンマ９０を駆動するための電動アクチュエータとしての発射モータ１２０と、がそれぞれ組み付けられてユニット化されている。そして、球発射装置７０は１つのユニットとして取り扱い可能に構成されている。
【００２２】
また、この実施例１において、収納ボックス７１は、合成樹脂製のベース体７２と、そのベース体７２の後側に収納室を構成するようにして開閉可能に設けられた合成樹脂製のカバー体８０とを備えている。そして、収納ボックス７１の収納室には、球発射装置７０の各部を構成する発射ハンマ９０、スライド体１００、引張ばね１０６等の複数の構成部材が収納された状態で配設されている。
また、ベース体７２とカバー体８０との少なくとも一方を透明な合成樹脂材によって形成することで、収納ボックス７１の収納室に収納された発射ハンマ９０、スライド体１００、引張ばね１０６等の構成部材の組付・作動状態を透視可能にすることが望ましい。
【００２３】
図５と図７に示すように、ベース体７２は、ベース板部７３、嵌込み部７５及び周壁部７７を一体に備えて構成されている。
ベース板部７３は、横長でかつ長手方向両端部（左右両端部）が半円弧状あるいは湾曲状に形成されており、角部がない平板状に形成されている。
ベース板部７３の外周縁の前側には、その外郭形状に沿って略環状をなしかつ装着用凹部２６に僅かな隙間をもって嵌込まれる嵌込み部７５が突設されている。
また、ベース板部７３の外周縁の後側には、その外郭形状に沿って略環状をなしかつ嵌込み部７５よりも一回り大きい外郭形状をなす周壁部７７が突設されている。そして、嵌込み部７５との境界部をなす周壁部７７の基端部には、装着用凹部２６の段差面２９に当接するフランジ部７６が形成されている。
【００２４】
また、この実施例１において、図５〜図７に示すように、ベース体７２のベース板部７３の後面（又は前面、又は板厚内）の略中央部に相当する部材装着領域の強度を他の領域よりも増大させて撓み変形やビス締めによる変形、破損、あるいはスライド体１００のスライド動作による摩耗等を防止するための鉄板、ステンレス板、アルミ板等の薄板金属板よりなる補強板７８が設置されている。また、ベース板部７３の前面には縦横格子状をなして補強リブ７４が一体に形成されている（図５参照）。
前記したベース体７２は、その嵌込み部７５において装着用凹部２６に嵌込まれる。そして、フランジ部７６が装着用凹部２６の段差面２９に当接された状態で、複数のビスが補強板７８及びベース板部７３を通して装着用凹部２６の複数のボス部２８にねじ込まれることで、装着用凹部２６に位置決めされた状態で固定されるようになっている（図４及び図５参照）。
【００２５】
図５と図６に示すように、ベース体７２の周壁部７７で囲まれた収納室内において、同ベース体７２のベース板部７３の略中央部には、ハンマー軸８６が回転可能に組み付けられた軸受け体８５をその円筒状のホルダケース８５ａにおいて装着するための凹部が形成されている。
そして、軸受け体８５のホルダケース８５ａが凹部に嵌込まれた後、ベース体７２のベース板部７３の後面に薄板金属板よりなる補強板７８が設置される。この状態で、補強板７８及びホルダケース８５ａの外周面の所定高さ位置に張り出された取付フランジ８５ｂを通してビス３が凹部の側壁部７３ａにねじ込まれることで、ホルダケース８５ａを介して軸受け体８５が強固に固定されるようになっている。
【００２６】
図５に示すように、軸受け体８５の後端面から突出されたハンマー軸８６の角軸部８６ａには発射ハンマ９０がトルク伝達可能に嵌込まれ同角軸部８６ａ先端の雄ねじ部８６ｂに締付ナットが締め付けられることで、ハンマー軸８６と一体状をなして発射ハンマ９０が回転可能に支持される。
図７に示すように、発射ハンマ９０は、その主体部をなすハンマ本体９１と、そのハンマ本体９１と一体の後側に重ね合わされたハンマベース基板９７とを一体状に備えて構成されている。
ハンマ本体９１は厚板金属板の打ち抜き加工によって所定形状に形成され、その下部寄り部分には、ハンマー軸８６の角軸部８６ａに嵌挿される角孔が貫設されている。
また、ハンマ本体９１の上端部に形成された頭部９３には軸状の打撃部９４が形成され、その打撃部９４にはコイルスプリングよりなる打撃ばね９５が装着されている。
【００２７】
図５と図７に示すように、ハンマベース基板９７は、ハンマ本体９１よりも薄い金属板より形成され、ハンマ本体９１の胴部９２の中間部からテール部９６近傍を覆うようにして重ね合わされ、その複数箇所にはハンマ本体９１の外形部に沿って直角状に折り曲げられてハンマ本体９１との打撃方向のガタ付きを防止する折曲片が形成されている。
また、ハンマベース基板９７の所定位置には、ハンマー軸８６の雄ねじ部８６ｂに嵌挿される孔が貫設されている。そして、ハンマベース基板９７は、ハンマー軸８６の角軸部８６ａ先端の雄ねじ部８６ｂに締め付けられた締付ナットによって、ハンマ本体９１と共締めされている。
【００２８】
また、ハンマベース基板９７の後面の所定位置には、引張ばね１０６に対応するばね掛け部１０４が突設されている。さらに、ハンマベース基板９７の後面の所定位置には、発射カム１２５に対応するカムフォロアとしてのカムローラ１２７が軸を中心として回転可能に組み付けられている。
また、ハンマベース基板９７の前面の所定位置には、球送り作動部材１４０に対応する球送り作動ピン１４５が突設されている。
また、この実施例１において、ハンマベース基板９７の所定位置には、先端部がハンマ本体９１の後面に当接する調整ねじ９８が進退可能に螺合されている。そして、調整ねじ９８を進退させることによって、ハンマ本体９１の打撃部９４の打撃ばね９５の打撃中心を、横断面略Ｖ字状をなす発射レール２５の発射位置に送られた球Ｂの中心に合致するように微調整できるようになっている（図１３参照）。
【００２９】
図７と図１０に示すように、ベース体７２のベース板部７３の略中央上下部２箇所には、ハンマ本体９１の中央部近傍とテール部９６との２箇所に当接して発射ハンマ９０を打撃位置に停止させるゴムリングよりなるストッパ体１７０を有する上下一対のストッパ軸１７１が回転可能に組み付けられている。
この実施例１において、ストッパ軸１７１の軸上には、その中心から適宜に偏心した位置において偏心軸部１７２が形成され、その偏心軸部１７２の外周にゴムリングよりなるストッパ体１７０がそれぞれ装着されている。そして、ストッパ軸１７１を回動調整することで、発射ハンマ９０の打撃位置が微調整可能になっている。
また、一対のストッパ軸１７１の後端部には、同ストッパ軸１７１の回動操作部と、後に詳述するカバー体８０の位置決め部とを兼用する筒状の軸体１７３がそれぞれ同軸上に突設されている。また、筒状の軸体１７３の先端部には回動調整用の溝１７４が形成されている（図７参照）。
【００３０】
図５、図７及び図１０に示すように、ベース体７２のベース板部７３の略中央部には、金属製の補強板７８と発射ハンマ９０との間に挟まれた状態で横長のスライド体１００が、横方向長孔状の案内孔１０１と案内ピン１０２によってスライド動作可能に配設されている。
このスライド体１００は、発射ハンドル６５のハンドル操作とともに回動するハンドルカム（後に詳述する）１１１によってスライドされて発射ハンマ９０に対する引張ばね１０６のばね力を調整するものであり、その一端部にはばね掛け部１０５が突設されている。そして、発射ハンマ９０のばね掛け部１０４とスライド体１００のばね掛け部１０５との間に跨って引張コイルスプリングよりなる引張ばね１０６が張設されている。
また、スライド体１００の他端部には、ハンドルカム１１１に対応するカムフォロアとしてのカムローラ１１４が軸を中心として回転可能に組み付けられている。
また、この実施例１において、スライド体１００には、軸受け体８５のホルダケース８５ａの後部外周面を案内軸部として同スライド体１００をスライド案内する案内孔１０３が貫設されている。
【００３１】
図５と図１０に示すように、ベース体７２のベース板部７３の片側寄り（図５に向かって左側寄りでハンドル軸６８に対向する部分）に形成されたボス部には、ハンドル軸６８の先端部がトルク伝達可能に嵌込まれる連結軸１１０が回転可能に組み付けられている。この連結軸１１０の後端部にはハンドルカム１１１がビスによって一体状に固定されている。そして、発射ハンドル６５の可動ハンドル体を回動操作することで、ハンドル軸６８、連結軸１１０及びハンドルカム１１１が可動ハンドル体の操作方向と同方向に回動され、これによって、カムローラ１１４を介してスライド体１００が引張ばね１０６を引き伸ばしながらスライドされるようになっている（図１１参照）。
すなわち、可動ハンドル体の操作角度を大きくするにしたがって、引張ばね１０６が長く引き伸ばされ、これによって引張ばね１０６の弾発力が増大されるようになっている。
【００３２】
図４〜図６に示すように、収納ボックス７１の合成樹脂製のカバー体８０は、ベース体７２の後側に収納室を構成するようにして複数のビス２によって開閉可能に装着されている。
このカバー体８０は、ベース体７２の周壁部７７の外郭形状と略同じ形状大きさの薄箱状に形成され、長手方向両端部（左右両端部）が半円弧状あるいは湾曲状に形成されている。さらに、カバー体８０の蓋板部と周壁部との境界部においても角部がない横断面半円弧状あるいは湾曲状に形成されている。これによって、収納ボックス７１（ベース体７２及びカバー体８０）の強度が効率よく高められるとともに、外部応力に対して応力集中部が少なく変形し難い構造となっている。
【００３３】
また、図４〜図６に示すように、カバー体８０には、その蓋板部の上下部２箇所において、ベース体７２側の一対のストッパ軸１７１の後端の筒状の軸体１７３が嵌挿されるボス部８０ａが形成されている。
そして、ベース体７２側の一対のストッパ軸１７１の筒状の軸体１７３に対しカバー体８０が、そのボス部８０ａにおいて嵌挿され、ベース体７２の周壁部７７の後端面にカバー体８０の周壁部の前端面が当接された状態で複数のビス２がカバー体８０側からベース体７２の周壁部７７のねじ孔７７ａにねじ込まれることによって、ベース体７２に対しカバー体８０が正確に位置決めされて固定されるようになっている。
【００３４】
また、図５と図９に示すように、カバー体８０の複数箇所には、前枠体２１の装着用凹部２６にベース体７２を取り付けるための複数のビス１がそれぞれ挿通案内される案内筒８１が一体に形成されている。この案内筒８１の先端（前端）は、ベース体７２のベース板部７３に設置された補強板７８に接近する位置まで延出されている。そして、案内筒８１によって、ビス１の倒れが防止され、かつ同ビス１が所定の姿勢に保たれることによって、前枠体２１の装着用凹部２６に対するベース体７２及び補強板７８のビス締め（共締め）作業が容易となっている。
【００３５】
図４、図５及び図８に示すように、カバー体８０の蓋板部後面には、電動アクチュエータとしての発射モータ１２０の少なくとも一部が位置決めされて嵌込まれる嵌込み凹部８２が形成されている。
この嵌込み凹部８２は、発射モータ１２０の前端部に形成された四角形状のフランジ１２０ａが嵌込まれる大きさの開口部を有し、その嵌込み凹部８２の底板部の底面（後面）の一方の対角部近傍には、発射モータ１２０のフランジ１２０ａの一方の対角部にそれぞれ形成された位置決め孔に嵌挿される位置決めピン１２８が突設されている。
さらに、嵌込み凹部８２の底板部の他方の対角部近傍には、発射モータ１２０のフランジ１２０ａの他方の対角部にそれぞれ形成された取付孔を通してビス１２９がねじ込まれるボス部が形成されている。
すなわち、カバー体８０の嵌込み凹部８２に対し発射モータ１２０は、そのフランジ１２０ａにおいて嵌込まれるとともに、位置決めピン１２８と位置決め孔との位置決め作用によって正確に位置決めされる。この状態において、発射モータ１２０のフランジ１２０ａの取付孔を通してビス１２９が嵌込み凹部８２のボス部にねじ込まれることで、カバー体８０に発射モータ１２０が正確に固定されるようになっている。
【００３６】
また、この実施例１において、図５と図８に示すように、カバー体８０の蓋板部の所定位置には開口窓８０ｂが形成され、その開口窓８０ｂには開閉蓋１８０が、同開閉蓋１８０に一体に形成された弾性係止片１８１によって開閉可能に装着されている。そして、開閉蓋１８０を取り外すことで、収納ボックス７１内の各構成部材の保守・点検作業や引張ばね１０６の着脱交換作業等が行えるようになっている。
【００３７】
図５と図９に示すように、発射モータ１２０の出力軸１２１には、発射ハンマ９０を引張ばね１０６のばね力に抗して所定角度位置まで回動した後、解放する発射カム１２５がトルク伝達可能に組み付けられている。
この実施例１において、発射モータ１２０の出力軸１２１には、逆転防止用のラチェットホイール１２２が発射カム１２５と一体（別体でもよい）に形成されてトルク伝達可能に組み付けられている。
そして、前記したように、カバー体８０の嵌込み凹部８２に対し発射モータ１２０が嵌込まれる際、発射モータ１２０の出力軸１２１とともにラチェットホイール１２２及び発射カム１２５が嵌込み凹部８２の底板部に貫設された貫通孔を通して収納ボックス７１の収納室に配置されるようになっている。
【００３８】
図８と図１０に示すように、収納ボックス７１の所定位置には、発射ハンマ９０の回動に連動されて球送りカセット５２の球送り部材を球送り動作させる球送り作動部材１４０が組み付けられている。
この実施例１において、カバー体８０の上縁部に球送り作動部材１４０に対応するブラケット８０ｃが一体状に形成され、そのブラケット８０ｃの先端部にボス部８０ｄが前方に向けて突出されている。
一方、球送り作動部材１４０は、ブラケット８０ｃのボス部８０ｂに回動可能に嵌挿される軸１４１を一体状に備えた支持部１４０ａと、その支持部１４０ａから横方向に一体状に延出されかつ球送り部材の錘５７に接離可能に対向する突き上げ部１４２と、支持部１４０ａの下端部から蛇行状をなして延出され、先端部に発射ハンマ９０の球送り作動ピン１４５に係合可能な係合部１４３を有するアーム部１４４とを一体に備えて構成されている。
【００３９】
すなわち、図１２に示すように、発射ハンマ９０が引張ばね１０６のばね力に抗して所定角度位置まで回動される際、その発射ハンマ９０の球送り作動ピン１４５が球送り作動部材１４０の係合部１４３に係合しながら球送り作動部材１４０を軸１４１を中心として作動方向に回動される。これによって、球送り作動部材１４０の突き上げ部１４２が球送り部材の錘５７を突き上げて同球送り部材を球送り動作させるようになっている。そして、球送りカセット５２内の最前端の球が発射レール２５の発射位置に供給されるようになっている。
【００４０】
また、図９に示すように、収納ボックス７１の所定位置には、ラチェットホイール１２２に係脱可能に係合し、発射モータ１２０の出力軸１２１、発射カム１２５及びラチェットホイール１２２の一方向の回転は許容し、反対方向へは阻止する逆転防止部材１３０が配設されている。この逆転防止部材１３０は、発射レール２５の発射位置に対し球が存在しているときに、次の球を供給することを防止する（すなわち、２個打ちを防止する）ためのもである。言い換えると、発射カム１２５の逆転にともなって発射ハンマ９０が回動され、これによって球送り作動部材１４０が不測に作動されることを防止するためのものである。
【００４１】
この実施例１において、逆転防止部材１３０は、横方向に長い支持アーム１３１、弾性変形部１３２、ラチェット爪１３３及び操作部１３４を備えかつ合成樹脂材によって一体に形成されている。
すなわち、逆転防止部材１３０は、その支持アーム１３１の長手方向両端部においてカバー体８０の前側上部寄りの左右に突設された一対の支持ピンの間に跨って支持されている。
この支持アーム１３１の一端部には弾性変形可能な薄肉状の弾性変形部１３２が形成され、その弾性変形部１３２からラチェットホイール１２２に向けてラチェット爪１３３が延出されている。そして、ラチェット爪１３３の先端部がラチェットホイール１２２に係脱可能に係合するようになっている。
また、弾性変形部１３２からラチェット爪１３３の延出方向とは反対方向に操作部１３４が形成されている。そして、操作部１３４の先端部を下方に向けて押し下げ操作して弾性変形部１３２を弾性変形させることで、ラチェットホイール１２２に対するラチェット爪１３３の噛み合いが解除されるようになっている。
前記したようにして逆転防止部材１３０が、支持アーム１３１、弾性変形部１３２、ラチェット爪１３３及び操作部１３４を備えかつ合成樹脂材によって一体に形成されることで部品点数や組付工数を軽減することができ、コスト低減を図ることができる。
【００４２】
なお、図３に示すように、前枠体２１の後側には、周知のように機構盤１５０が開閉可能に装着され、その機構盤１５０には球タンク１５５、タンクレール１６０、球払出装置１６１等が装着されている。
【００４３】
この実施例１に係る遊技機としてのパチンコ機（弾球遊技機）は上述したように構成される。
したがって、遊技の際、遊技者によって発射ハンドル６５が把持された状態で可動ハンドル体が所定方向（例えば、時計回り方向）に回動操作される。すると、可動ハンドル体とともにハンドル軸６８、連結軸１１０及びハンドルカム１１１が同方向に同角度だけ回動される。これによって、可動ハンドル体の回動操作角度に基づいて、引張ばね１０６を引張しながらスライド体１００がスライドされる。言い換えると、可動ハンドル体の回動操作角度が大きくなるにしたがって引張ばね１０６のばね力が増大される（図１０及び図１１参照）。
【００４４】
一方、遊技者によって発射ハンドル６５が把持された状態で可動ハンドル体が所定方向（例えば、時計回り方向）に回動操作されると、発射モータ１２０が作動し、その出力軸１２１と一体に発射カム１２５が所定方向に連続回転される。
そして、図１２に示すように、発射カム１２５の一回転毎に、その発射カム１２５のカム面によって発射ハンマ９０が引張ばね１０６を引張しながら所定位置まで回動された後、発射カム１２５のカム面から解放されかつ引張ばね１０６の引張力によって反対方向の打撃方向に回動される。これによって、発射レール２５の発射位置にある球が発射ハンマ９０の打撃部９４の打撃スプリング９５によって打撃され、発射通路３５を経て遊技領域３４の上部に打ち出されて流れる。
【００４５】
さて、この実施例１において、球発射装置７０のユニット本体部をなす合成樹脂製の収納ボックス７１に対し球発射装置７０の各部を構成する複数の構成部材、例えば、発射ハンマ９０、引張ばね１０６、スライド体１００等の構成部材と、発射ハンマ９０を駆動する発射モータ１２０とがそれぞれ組み付けられることでユニット化された球発射装置７０を容易に構成することができる。
また、収納ボックス７１を合成樹脂製にすることで、金属製にしたものと比べ球発射装置７０の装置全体の重量が軽減される。さらに、収納ボックス７１は、箱形状をなすため平板状のものと比べ撓み難く強度的に優れたものとなる。
【００４６】
また、合成樹脂製の前枠体２１後面の装着用凹部２６にユニット化された球発射装置７０を、その収納ボックス７１において嵌込んで容易にかつ確実に固定（装着）することができる。このため、球発射装置７０の荷重を前枠体２１後面の装着用凹部２６において比較的広い範囲で分散して受けることができる。
また、合成樹脂製の前枠体２１においては、その後面に装着用凹部２６を設けることや、その装着用凹部２６に嵌込まれる収納ボックス７１によって前枠体２１の自体の強度も増大され撓み難く耐久性に優れたものとなる。
【００４７】
また、この実施例１において、収納ボックス７１は、装着用凹部２６に嵌込まれて固定される合成樹脂製のベース体７２と、そのベース体７２の後側に収納室を構成するようにして開閉可能に設けられた合成樹脂製のカバー体８０とを備えている。そして、収納ボックス７１の収納室には、球発射装置７０の各部を構成する複数の構成部材、例えば、発射ハンマ９０、引張ばね１０６、スライド体１００等の構成部材が収納状態で配設されて保護される。このため、発射ハンマ９０、引張ばね１０６、スライド体１００等の構成部材に異物が不測に干渉して作動不良を発生させる不具合を防止することができる。
【００４８】
また、この実施例１において、図５に示すように、前枠体２１の装着用凹部２６の開口部には段差面２９が形成される一方、収納ボックス７１のベース体７２には、装着用凹部２６に嵌込まれる嵌込み部７５と、段差面２９に当接するフランジ部７５とがそれぞれ形成されている。
このため、前枠体２１の装着用凹部２６に対し、ベース体７２を、その嵌込み部７５において嵌込んで固定する際、装着用凹部２６の開口部の段差面２９にベース体７２のフランジ部７６が当接する位置までベース体７２の嵌込み部７５を嵌込んで固定することで、前枠体２１の装着用凹部２６の奥行き方向（前後方向）にベース体７２が位置ずれすることなく容易にかつ正確に固定することができる。
この結果、前枠体２１に対する球発射装置７０の各部を構成する複数の構成部材の配置が前後方向に位置ずれする不具合を防止することができる。例えば、発射ハンマ９０が前後方向に位置ずれして球の発射不良が生じる不具合を防止することができる。
【００４９】
また、この実施例１において、ベース体７２に対しカバー体８０が正確に位置決めされて固定される。すなわち、図４と図５に示すように、ベース体７２側の一対のストッパ軸１７１の筒状の軸体１７３に対しカバー体８０が、そのボス部において嵌挿され、ベース体７２の周壁部７７の後端面にカバー体８０の周壁部の前端面が当接された状態で複数のビス２がカバー体８０側からベース体７２の周壁部７７のねじ孔７７ａにねじ込まれることによって、位置ずれすることなく正確に固定される。
そして、カバー体８０の後面に形成された嵌込み凹部８２に発射モータ１２０の少なくとも一部が嵌込まれた状態で位置決め固定される。このため、カバー体８０後面に発射モータ１２０を位置決めして固定する作業が容易となるとともに、カバー体８０自体の強度も増大される。
【００５０】
しかも、この実施例１において、図４と図８に示すように、カバー体８０の嵌込み凹部８２は、発射モータ１２０の前端部の四角形状のフランジ１２０ａが嵌込まれる大きさに形成され、その嵌込み凹部８２の底板部の一方の対角部近傍に位置決めピン１２８が、他方の対角部近傍にボス部が形成されている。
このため、カバー体８０の嵌込み凹部８２に対し、発射モータ１２０は、そのフランジ１２０ａのおいて嵌込まれるとともに、位置決めピン１２８と位置決め孔との位置決め作用によって正確に位置決めされる。この状態において、発射モータ１２０のフランジ１２０ａの取付孔を通してビス１２９が嵌込み凹部８２のボス部にねじ込まれることで、発射モータ１２０を嵌込み凹部８２に位置ずれすることなく正確に固定することができる。
この結果、発射モータ１２０の出力軸１２１に装着された発射カム１２５と、カムフォロアとしての発射ハンマ９０のカムローラ１２７とが前後及び左右方向に不測に位置ずれして作動不良が発生する不具合を防止することができる。
【００５１】
また、この実施例１において、図５と図９に示すように、収納ボックス７１のカバー体８０側から、そのカバー体８０の複数の案内筒８１に複数のビス１がそれぞれ挿通案内され、これら複数のビスがベース体７２のベース板部７３を貫通して前枠体２１の装着用凹部２６のボス部２８にねじ込むまれることで、前枠体２１の装着用凹部２６に球発射装置７０が容易にかつ手早く装着される。
また、案内筒８１によって、ビス１の倒れが防止され、かつ同ビス１が所定の姿勢に保たれるため、前枠体２１の装着用凹部２６に対するベース体７２のビス締め作業を容易かつ確実に行うことができる。
【００５２】
また、収納ボックス７１のベース体７２の所定位置、特に強度が必要とする部分に薄板金属板よりなる補強板７８が設けられることで、重量増加を抑えながらベース体７２を効率よく補強することができる。
例えば、複数のビス１がベース体７２のベース板部７３を貫通して前枠体２１の装着用凹部２６のボス部２８にねじ込むまれる部分において、補強板７８の一部を存在させることによって、ビス１の締め付け過剰によってベース体７２のベース板部７３が損傷される不具合を防止することができる。
【実施例２】
【００５３】
次に、この発明の実施例２を図１４にしたがって説明する。
この実施例２においては、収納ボックス７１のベース体７２に開閉可能に装着されるカバー体８０の蓋板部後面に、内外２重壁構造の周壁部２００が突設され、その内側周壁部２０１によって囲まれた部分に電動アクチュエータとしての発射モータ１２０が嵌込まれる嵌込み凹部８２が形成されている。そして、嵌込み凹部８２の内周壁面をなす内側周壁部２０１は、開口部側が広く底部側が狭いテーパ状に形成されている。これによって、テーパ状をなす嵌込み凹部８２の内側周壁部２０１に沿って発射モータ１２０が、その前端部の四角形状のフランジ１２０ａにおいて嵌込み案内されるようになっている。
さらに、嵌込み凹部８２は発射モータ１２０の奥行き寸法の半分程度あるいはそれ以上の深さ寸法に設定されている。
【００５４】
また、嵌込み凹部８２の底板部の一方の対角部近傍には、実施例１と同様にして発射モータ１２０のフランジ１２０ａの一方の対角部にそれぞれ形成された位置決め孔に嵌挿される位置決めピンが突設され、同嵌込み凹部８２の底板部の他方の対角部近傍には、発射モータ１２０のフランジ１２０ａの他方の対角部にそれぞれ形成された取付孔を通してビスがねじ込まれるボス部が形成されている。
そして、カバー体８０の嵌込み凹部８２に対し発射モータ１２０は、そのフランジ１２０ａのおいて嵌込まれるとともに、位置決めピンと位置決め孔との位置決め作用によって正確に位置決めされる。この状態において、発射モータ１２０のフランジ１２０ａの取付孔を通してビスが嵌込み凹部８２のボス部にねじ込まれることで、カバー体８０に発射モータ１２０が固定される。
【００５５】
また、この実施例２においても、実施例１と同様にして発射モータ１２０の出力軸１２１に発射カム１２５がトルク伝達可能に組み付けられている。
そして、前記したように、カバー体８０の嵌込み凹部８２に対し発射モータ１２０が嵌込まれる際、発射モータ１２０の出力軸１２１とともに発射カム１２５が嵌込み凹部８２の底板部に貫設された貫通孔を通して収納ボックス７１の収納室に配置されるようになっている。
なお、発射モータ１２０の出力軸１２１に、逆転防止用のラチェットホイールは必ずしも設けなくてもよい。
【００５６】
この実施例２のその他の構成は実施例１と略同様にして構成されるため、同一構成部分に対し、同一符号を付記してその説明は省略する。
したがって、この実施例２においても、実施例１と略同様の作用効果を奏する。
【００５７】
なお、この発明は前記実施例１あるいは実施例２に限定するものではない。
例えば、収納ボックス７１のベース体７２の一側にヒンジ手段や掛止手段によってカバー体８０を開閉可能に装着し、適宜の閉止手段によって閉じ状態に保持するように構成してもこの発明を実施可能である。
また、収納ボックス７１は、箱形状のベース体７２のみによって構成してもこの発明を実施可能である。
また、前記実施例１及び２においては、発射ハンマ９０を駆動する電動アクチュエータとしてモータ（発射モータ１２０）を用いたがモータ以外に、ソレノイド（ロータリーソレノイドも含む）等の電動アクチュエータを用いてもこの発明を実施可能である。
【図面の簡単な説明】
【００５８】
【図１】この発明の実施例１の遊技機としてのパチンコ機の扉体を開いた状態を示す斜視図である。
【図２】同じく扉体を取り外し上皿部材を開いた状態を示す斜視図である。
【図３】同じくパチンコ機全体を示す背面図である。
【図４】同じく球発射装置を拡大して示す背面図である。
【図５】同じく球発射装置の図４のＶ−Ｖ線に基づく断面図である。
【図６】同じく球発射装置の収納ボックスのベース体とカバー体を分離した状態を示す斜視図である。
【図７】同じく球発射装置の収納ボックスのベース体を示す斜視図である。
【図８】同じく球発射装置のカバー体を後方から示す斜視図である。
【図９】同じく球発射装置のカバー体を前方から示す斜視図である。
【図１０】同じく球発射装置の収納ボックスのカバー体を取り外した状態を示す背面図である。
【図１１】同じくハンドルカムによってスライド体が引張ばねを引き伸ばす方向にスライドされた状態を示す作用説明図である。
【図１２】同じく発射カムによって発射ハンマが引張ばねを引き伸ばす方向に回動された状態を作用説明図である。
【図１３】同じく発射ハンマのハンマ本体、ハンマベース体及び調整ねじの関係を示す断面図である。
【図１４】この発明の実施例２の球発射装置の断面図である。
【符号の説明】
【００５９】
１０  外枠体
２１  前枠体
２２  遊技盤装着枠部
２５  発射レール
３０  遊技盤
３１  案内レール
３４  遊技領域
４１  扉体
６５  発射ハンドル
６８  ハンドル軸
７０  球発射装置
７１  収納ボックス
７２  ベース体
７８  補強板
８０  カバー体
８２  嵌込み凹部
９０  発射ハンマ
９５  打撃ばね
１００  スライド体
１１１  ハンドルカム
１２０  発射モータ（電動アクチュエータ）
１２５  発射カム
【図１】
2005081062.tif 000003
【図２】
2005081062.tif 000004
【図３】
2005081062.tif 000005
【図４】
2005081062.tif 000006
【図５】
2005081062.tif 000007
【図６】
2005081062.tif 000008
【図７】
2005081062.tif 000009
【図８】
2005081062.tif 000010
【図９】
2005081062.tif 000011
【図１０】
2005081062.tif 000012
【図１１】
2005081062.tif 000013
【図１２】
2005081062.tif 000014
【図１３】
2005081062.tif 000015
【図１４】
2005081062.tif 000016